(57)【特許請求の範囲】
【請求項１】
１又は複数のセンサノード、中継器ノード及び受信機で構成され、前記センサノードから無線送信された電文を前記中継器ノードで受信して処理し、処理結果を信号線により接続された前記受信機に送信する無線防災システムに於いて、  中継器ノードは、  受信アンテナの交換接続又は外部の設定装置を接続可能なアンテナ端子と、  前記アンテナ端子に接続した受信アンテナにより前記センサノードから送信された電文を受信する無線受信部と、  前記アンテナ端子に接続された前記設定装置との間で電文を送受信する有線通信部と、  前記アンテナ端子に対する前記受信アンテナ又は前記設定装置の接続を検出する接続種別検出部と、  前記接続種別検出部により前記受信アンテナの接続を検出した場合に前記無線受信部の受信動作を有効化して前記センサノードから受信した電文に含まれた情報に基づき所定の制御を行うと共に、前記接続種別検出部により前記設定装置の接続を検出した場合に前記有線通信部の動作を有効化し、前記設定装置との間で所定の電文を送受信して所定の制御を行う中継制御部と、を備え、  前記設定装置は、  前記中継器ノードのアンテナ端子を接続する信号線ケーブルと、  前記信号線ケーブルで接続した前記中継器ノードの前記有線通信部との間で電文を送受信する有線通信部と、  前記有線通信部に指示して前記中継器ノードに情報の書込要求又は情報の読出要求を含む電文を送信すると共に、前記有線通信部により前記中継器ノードから受信した電文に含まれる情報を処理する設定制御部と、を設けたことを特徴とする無線防災システム。 
【請求項２】
請求項１記載の無線防災システムに於いて、
前記中継器ノードの前記中継制御部は、予め割り当てられた前記センサノードのノードＩＤとアドレスとの対応関係を登録しており、
前記設定装置の前記設定制御部は、前記中継器ノードに登録している前記センサノードＩＤとアドレスの対応関係を読み出して表示することを特徴とする無線防災システム。
【請求項３】
請求項１記載の無線防災システムに於いて、
前記中継器ノードの前記中継制御部は、予め割り当てられた前記センサノードのノードＩＤとアドレスとの対応関係を登録しており、
前記設定装置の前記設定制御部は、前記中継器ノードに登録している前記センサノードＩＤとアドレスの対応関係の追加、変更、又は削除を含む編集操作を受け付けて処理し、編集結果を前記中継器ノードに送信して反映させることを特徴とする無線防災システム。
【請求項４】
請求項１記載の無線防災システムに於いて、
前記中継器ノードの前記中継制御部は、前記センサノードからの電文受信と電波強度、電文の処理結果の受信機への送信を含む履歴情報を記憶し、
前記設定装置の前記設定制御部は、前記中継器ノードに登録している前記履歴情報を読み出して処理することを特徴とする無線防災システム。
【請求項５】
１又は複数のセンサノードから無線送信された電文を受信して処理し、処理結果を信号線により接続された受信機に送信する中継器ノードに於いて、  受信アンテナの交換接続又は外部の設定装置を接続可能なアンテナ端子と、  前記アンテナ端子に接続した受信アンテナにより前記センサノードから送信された電文を受信する無線受信部と、  前記アンテナ端子に接続された前記設定装置との間で電文を送受信する有線通信部と、  前記アンテナ端子に対する前記受信アンテナ又は前記設定装置の接続を検出する接続種別検出部と、  前記接続種別検出部により前記受信アンテナの接続を検出した場合に前記無線受信部の受信動作を有効化して前記センサノードから受信した電文に含まれた情報に基づき所定の制御を行うと共に、前記接続種別検出部により前記設定装置の接続を検出した場合に前記有線通信部の動作を有効化し、前記設定装置との間で所定の電文を送受信して所定の制御を行う中継制御部と、を備えたことを特徴とする中継器ノード。 
【請求項６】
請求項５記載の中継器ノードに於いて、
前記中継制御部は、予め割り当てられた前記センサノードのノードＩＤとアドレスとの対応関係を登録しており、前記設定装置からの読出要求に基づき前記センサノードＩＤとアドレスの対応関係を読み出して送信することを特徴とする中継器ノード。
【請求項７】
請求項５記載の中継器ノードに於いて、  前記中継制御部は、予め割り当てられた前記センサノードのノードＩＤとアドレスとの対応関係を登録しており、前記設定装置からの書込み要求に基づき、前記設定装置が編集操作を受け付けて処理した前記センサノードＩＤとアドレスの対応関係の追加、変更、又は削除を含む編集結果を前記登録されたセンサノードＩＤとアドレスの対応関係に反映することを特徴とする中継器ノード。 
【請求項８】
請求項５記載の中継器ノードに於いて、
前記中継制御部は、前記センサノードからの電文受信と電波強度、電文の処理結果の受信機への送信を含む履歴情報を記憶し、前記設定装置からの要求に基づいて前記履歴情報を読み出して送信することを特徴とする中継器ノード。
【発明の詳細な説明】
【技術分野】
【０００１】
本発明は、無線式感知器などのセンサノードから無線送信された電文を中継器ノードを経由して受信機に伝送して警報させる無線防災システム及び中継器ノードに関する。
【背景技術】
【０００２】
従来、火災を監視する無線式の防災監視システムにあっては、ビルの各フロアや共同住宅の占有部といった警戒区域にセンサノードとして機能する複数の無線式感知器を設置し、無線式感知器で火災を検出した場合に、火災を示す電文をフロア単位に設置した中継器ノードとして機能する受信用中継器に無線送信する。また、必要に応じて電波中継器を設置し、無線式感知器からの電文を電波中継器により中継して受信用中継器に送信している。
【０００３】
受信用中継器は受信機からの感知器回線に接続されており、火災を示す電文を受信すると、リレー接点やスイッチング素子のオンにより感知器回線に発報電流を流して火災発報信号を受信機に送信する。受信機は、この火災発報信号を受信すると、音響等の手段により火災警報を出す。
【０００４】
このような無線防災システムによれば、一般的に天井裏等に敷設される感知器回線の一部を不要にでき、配線工事が簡単になり、感知器の設置場所も配線等の制約を受けずに決めることができる。また、感知器増設等のシステム変更にも容易に対応できる。
【０００５】
ところで、従来の無線防災システムにあっては、無線式感知器及び受信用中継器には製造段階で固有のノードＩＤ（機器ＩＤ）を固定的に記憶しており、一方、同じ階等に設置した受信用中継器と複数の無線式感知器の親子関係に基づき、受信用中継器の子ノードとなる無線式感知器にシステム上で使用するアドレスを予め割り当て、システムの運用に先立ち、受信用中継器と親子関係にある複数の無線式感知器のノードＩＤを、ノードＩＤとアドレスの組合せを受信用中継器に登録するようにしている。
【０００６】
この受信用中継器に対する無線式感知器のノードＩＤの登録は、受信用中継器及び無線式感知器の操作により登録モードを設定して行う。登録モードを設定した受信用中継器は、管理テーブル上の無線式感知器のアドレスを指定して登録待ちの状態となり、この状態で無線式感知器に登録モードを設定すると、無線式感知器はＩＤ登録用の電文を送信し、受信用中継器は無線式感知器が送信した登録用の電文を受信すると、受信した電文に含まれる送信元ＩＤを取り出して、管理テーブルにノードＩＤとして登録し、これを親子関係にある全ての無線式感知器について繰り返すことで、アドレスとノードＩＤの対応関係を自動的に登録している。
【０００７】
これにより受信用中継器は、無線式感知器から電文を受信した際に、電文に含まれる送信元ＩＤと予め登録したノードＩＤとを比較し、例えば両者が一致したときに有効な電文として処理するようにしている。
【０００８】
また、受信用中継器は、設置現場に合せて使用する受信用アンテナを交換可能とするためにアンテナ端子を設け、アンテナ端子に同軸ケーブルを介して受信用アンテナを接続している。
【先行技術文献】
【特許文献】
【０００９】
【特許文献１】特開２００８−００４０３３号公報
【特許文献２】特開２０１０−１１４６３２号公報
【発明の概要】
【発明が解決しようとする課題】
【００１０】
しかしながら、従来の無線防災システムにあっては、受信用中継器に無線式感知器のアドレスとノードＩＤの対応関係の自動登録を行った場合、受信用中継器はアドレスやノードＩＤを表示する表示装置を持たないため、正しく設定できているかどうかが確認しづらい問題がある。
【００１１】
また、従来の無線防災システムの運用中に、受信用中継器に障害が発生して交換する場合や、受信用中継器に対する無線式感知器の割り当て（親子関係）を変更するような場合には、受信用中継器に無線式感知器のアドレスとノードＩＤの対応関係を登録する必要があるが、受信用中継器はアドレスやノードＩＤを表示する表示装置を持たないため、無線式感知器の操作によるアドレスとノードＩＤの対応関係の登録に手間と時間がかかる問題がある。
【００１２】
本発明は、受信用アンテナを交換接続するアンテナ端子を利用して、必要とする情報を外部装置との間で送受信して処理可能とする無線防災システム及び中継器ノードを提供することを目的とする。
【課題を解決するための手段】
【００１３】（無線防災システム）  本発明は、１又は複数のセンサノード、中継器ノード及び受信機で構成され、前記センサノードから無線送信された電文を前記中継器ノードで受信して処理し、処理結果を信号線により接続された前記受信機に送信する無線防災システムに於いて、  中継器ノードは、  受信アンテナの交換接続又は外部の設定装置を接続可能なアンテナ端子と、  アンテナ端子に接続した受信アンテナによりセンサノードから送信された電文を受信する無線受信部と、  アンテナ端子に接続された設定装置との間で電文を送受信する有線通信部と、  アンテナ端子に対する受信アンテナ又は設定装置の接続を検出する接続種別検出部と、  接続種別検出部により受信アンテナの接続を検出した場合に無線受信部の受信動作を有効化してセンサノードから受信した電文に含まれた情報に基づき所定の制御を行うと共に、接続種別検出部により設定装置の接続を検出した場合に有線通信部の動作を有効化し、設定装置との間で所定の電文を送受信して所定の制御を行う中継制御部と、を設け、  設定装置は、  中継器ノードのアンテナ端子を接続する信号線ケーブルと、  信号線ケーブルで接続した中継器ノードの有線通信部との間で電文を送受信する有線通信部と、  有線通信部に指示して中継器ノードに情報の書込要求又は情報の読出要求を含む電文を送信すると共に、有線通信部により中継器ノードから受信した電文に含まれる情報を処理する設定制御部と、を設けたことを特徴とする。 【００１４】
（アドレスとノードＩＤの対応関係の確認）
中継器ノードの中継制御部は、予め割り当てられたセンサノードのノードＩＤとアドレスとの対応関係を登録しており、
設定装置の設定制御部は、中継器ノードに登録しているセンサノードＩＤとアドレスの対応関係を読み出して表示する。
【００１５】
（アドレスとノードＩＤの対応関係の編集）
中継器ノードの中継制御部は、予め割り当てられたセンサノードのノードＩＤとアドレスとの対応関係を登録しており、
設定装置の設定制御部は、中継器ノードに登録しているセンサノードＩＤとアドレスの対応関係の追加、変更、又は削除を含む編集操作を受け付けて処理し、編集結果を中継器ノードに送信して登録させる。
【００１６】
（履歴ログ）
中継器ノードの中継制御部は、センサノードからの電文受信と電波強度、電文の処理結果の受信機への送信を含む履歴情報を記憶し、
設定装置の設定制御部は、中継器ノードに登録している履歴情報を読み出して処理する。
【００１７】  （中継器ノード）  本発明は、１又は複数のセンサノードから無線送信された電文を受信して処理し、処理結果を信号線により接続された受信機に送信する中継器ノードに於いて、  受信アンテナの交換接続又は外部の設定装置を接続可能なアンテナ端子と、  アンテナ端子に接続した受信アンテナによりセンサノードから送信された電文を受信する無線受信部と、  アンテナ端子に接続された設定装置との間で電文を送受信する有線通信部と、  アンテナ端子に対する受信アンテナ又は記設定装置の接続を検出する接続種別検出部と、  接続種別検出部により受信アンテナの接続を検出した場合に無線受信部の受信動作を有効化してセンサノードから受信した電文に含まれた情報に基づき所定の制御を行うと共に、接続種別検出部により設定装置の接続を検出した場合に有線通信部の動作を有効化し、設定装置との間で所定の電文を送受信して所定の制御を行う中継制御部と、を設けたことを特徴とする。 【００１８】
これ以外の中継器ノードの特徴は、前述した無線防災システムに示した中継器ノードの特徴と同じになる。
【発明の効果】
【００１９】（無線防災システムの効果）  本発明は、１又は複数のセンサノード、中継器ノード及び受信機で構成され、前記センサノードから無線送信された電文を前記中継器ノードで受信して処理し、処理結果を信号線により接続された受信機に送信する無線防災システムに於いて、中継器ノードは、受信アンテナの交換接続又は外部の設定装置を接続可能なアンテナ端子と、アンテナ端子に接続した受信アンテナによりセンサノードから送信された電文を受信する無線受信部と、アンテナ端子に接続された設定装置との間で電文を送受信する有線通信部と、アンテナ端子に対する受信アンテナ又は設定装置の接続を検出する接続種別検出部と、接続種別検出部により受信アンテナの接続を検出した場合に無線受信部の受信動作を有効化してセンサノードから受信した電文に含まれた情報に基づき所定の制御を行うと共に、接続種別検出部により設定装置の接続を検出した場合に有線通信部の動作を有効化し、設定装置との間で所定の電文を送受信して所定の制御を行う中継制御部とを設け、設定装置は、中継器ノードのアンテナ端子を接続する信号線ケーブルと、信号線ケーブルで接続した中継器ノードの有線通信部との間で電文を送受信する有線通信部と、有線通信部に指示して中継器ノードに情報の書込要求又は情報の読出要求を含む電文を送信すると共に、有線通信部により中継器ノードから受信した電文に含まれる情報を処理する設定制御部とを設けるようにしたため、受信アンテナのケーブルをアンテナ端子から外し、設定装置の信号線ケーブルをアンテナ端子に接続すると、この設定装置の接続を検出して中継器ノードと設定装置の間で信号線ケーブルを介した通信接続が確立され、中継器ノードに設定している情報を外部の設定装置に送信して処理することを可能とし、例えばシステムの運用開始に先立った中継器ノードに登録している親子関係にあるセンサノードのノードＩＤとアドレスの対応関係等の設定情報の登録を、中継器ノードとセンサノードの操作に基づき行っているが、システム運用中に中継器ノードが故障して交換した場合や、中継器ノードに対するセンサノードの割当変更を行う場合、センサノードを設置している占有部に入ることなく、設定装置による中継器ノードとの通信接続により、交換した中継器ノードに対する設定情報の書込みや、センサノードの割当変更に伴うノードＩＤの書換え等を簡単且つ容易に行うことを可能とする。 【００２０】
（アドレスとノードＩＤの対応関係の確認による効果）
また、中継器ノードの中継制御部は、予め割り当てられたセンサノードのノードＩＤとアドレスとの対応関係を登録しており、設定装置の設定制御部は、中継器ノードに登録しているセンサノードＩＤとアドレスの対応関係を読み出して表示するようにしたため、中継器ノードとセンサノードを操作したセンサノードＩＤとアドレスの対応関係を中継器ノードに自動登録した後に、正しく登録されているかどうかの確認を設定装置に読出し表示して簡単且つ容易に行うことを可能とする。
【００２１】
（アドレスとノードＩＤの対応関係の編集による効果）
また、中継器ノードの中継制御部は、予め割り当てられたセンサノードのノードＩＤとアドレスとの対応関係を登録しており、設定装置の設定制御部は、中継器ノードに登録しているセンサノードＩＤとアドレスの対応関係の追加、変更、又は削除を含む編集操作を受け付けて処理し、編集結果を中継器ノードに送信して登録させるようにしたため、例えばシステム運用中に中継器ノードが故障して交換した場合、システムの運用開始時に設定装置で故障前の中継器ノードから読み出したセンサノードのノードＩＤとアドレスの対応関係をサーバ等に保存しておき、これを設定装置に読み込んだ後に、交換した中継器ノードの設定装置を近づけて書込んで登録することで、センサノードを設置している共同住宅の占有部に入ることなく、簡単且つ容易に交換した中継器ノードに対するセンサノードＩＤとアドレスの対応関係を登録して動作可能とする。
【００２２】
また、複数の中継器ノードにおいて、センサノードの割当てを必要に応じて変更するような場合、中継器ノードからセンサノードのノードＩＤとアドレスの対応関係を読み出して、割当て変更に基づきノードＩＤを書き換える編集操作を行って編集結果を中継器ノードに書込んで再登録することで、同様に、センサノードを設置している共同住宅の占有部に入ることなく、中継器ノードに対するセンサノードの割当変更に対処可能とする。
【００２３】
（履歴ログ）
また、中継器ノードの中継制御部は、センサノードからの電文受信と電波強度、電文の処理結果の受信機への送信を含む履歴情報を記憶し、設定装置の設定制御部は、中継器ノードに登録している履歴情報を読み出して処理するようにしたため、システム運用中における中継器ノードの受信状況等の履歴情報や電波強度等を簡単に収集して通信環境の解析等に活用可能とする。
【００２４】  （中継器ノード）  本発明は、１又は複数のセンサノードから無線送信された電文を受信して処理し、処理結果を信号線により接続された受信機に送信する中継器ノードに於いて、受信アンテナの交換接続又は外部の設定装置を接続可能なアンテナ端子と、アンテナ端子に接続した受信アンテナによりセンサノードから送信された電文を受信する無線受信部と、アンテナ端子に接続された設定装置との間で電文を送受信する有線通信部と、アンテナ端子に対する受信アンテナ又は記設定装置の接続を検出する接続種別検出部と、接続種別検出部により受信アンテナの接続を検出した場合に無線受信部の受信動作を有効化してセンサノードから受信した電文に含まれた情報に基づき所定の制御を行うと共に、接続種別検出部により設定装置の接続を検出した場合に有線通信部の動作を有効化し、設定装置との間で所定の電文を送受信して所定の制御を行う中継制御部とを設けるようにしたため、前述した無線防災システムに設けた中継器ノードによると同じ効果が得られる。 
【図面の簡単な説明】
【００２５】
【図１】本発明による無線防災システムの概要を示した説明図
【図２】無線式感知器の機能構成を示したブロック図
【図３】受信用中継器の機能構成を示したブロック図
【図４】設定装置の機能構成を示したブロック図
【図５】設定装置の受信用中継器の設定情報の追加を示した説明図
【図６】受信用中継器に対する無線式感知器の割当変更に伴う設定装置による受信用中継器の設定情報の変更を示した説明図
【発明を実施するための形態】
【００２６】
［無線防災システム］
（システムの概要）
図１は本発明による無線防災システムの概要を示した説明図である。図１において、監視対象となる建物１１の１Ｆ〜３Ｆの各階には中継器ノードとして機能する受信用中継器１２−１〜１２−３を設置し、火災受信機であるＰ型受信機１０から階別に引き出した感知器回線１６及び共通の電源線１８に接続している。
【００２７】
１Ｆ〜３Ｆの各階には、センサノードとして機能する無線式感知器１４−１１．１４−１２、１４−２１，１４−２２、及び１４−３１，１４−３２を設置している。
【００２８】
以下の説明で受信用中継器１２−１〜１２−３及び無線式感知器１４−１１〜１４−３２を区別する必要がない場合は、受信用中継器１２及び無線式感知器１４とする。なお、受信用中継器１２に対し、距離が離れている無線式感知器１４からの電波の減衰による信号の不到達を防ぐために電波中継器を設置する場合がある。
【００２９】
受信用中継器１２−１〜１２−３及び無線式感知器１４−１１〜１４−３２のそれぞれには、機器ＩＤを使用した固有のノードＩＤを予め登録（記憶）している。
【００３０】
無線式感知器１４は火災による煙濃度または温度が所定の閾値を超えた場合に火災イベントの発生と判断し、火災を示す電文信号（以下、単に「電文」という）を間欠的に無線送信する。
【００３１】
１Ｆの受信用中継器１２−１には、親子関係に基づいて電文を受信する子ノードとしての送信元である無線式感知器１４−１１，１４−１２を特定するノードＩＤとシステム上で予め割り当てたアドレスとの対応関係を例えばメモリにテーブル情報として予め登録している。
【００３２】
この点は２Ｆ及び３Ｆの受信用中継器１２−２，１２−３も同様であり、受信用中継器１２−２には無線式感知器１４−２１，１４−２２のノードＩＤとアドレスとの対応関係をテーブル情報として予め登録し、受信用中継器１２−３には無線式感知器１４−３１，１４−３２のノードＩＤとアドレスとの対応関係をテーブル情報として予め登録している。なお、電波中継器を設けた場合には、電場中継器のノードＩＤとアドレスの対応関係を管理テーブルに登録している。
【００３３】
このような受信用中継器１２に対するアドレスとノードＩＤの登録により、電文を受信した際には、電文に含まれる送信元ＩＤと予め登録したノードＩＤとを比較し、例えば両者が一致したときに有効な電文として処理することになる。
【００３４】
また、無線式感知器１４と受信用中継器１２との間の無線通信は、日本国内の場合には例えば４００ＭＨｚ帯の特定小電力無線局の標準規格に従った無線通信を行っており、４２６．２５００ＭＨｚ〜４２６．８３７５ＭＨｚの１２．５ＫＨｚの帯域を持つ４８チャンネルの何れかの使用を可能とする。
【００３５】
そこで、受信用中継器１２と無線式感知器１４には、４００ＭＨｚ帯の特定小電力無線局標準規格で使用可能な４８チャンネルの何れか１つを選択して使用するチャンネル周波数を設定する。この場合、チャンネル周波数は各階で同じにしても良いし、混信を避けるために例えば隣接する階では異なるチャンネル周波数を使用しても良い。
【００３６】  （受信用中継器の送信機能と設定装置の概要）  受信用中継器１２はアンテナ端子４２を持ち、アンテナ端子４２に同軸ケーブル４５を介して受信アンテナ４０を接続しており、設置場所に合せて使用する受信アンテナ４０を交換可能としている。 
【００３７】
設定装置２０は、液晶ディスプレイ等の表示部と、操作キー等を備えた操作部を設けており、受信用中継器１２の受信アンテナ４０の同軸ケーブルをアンテナ端子４２から外し、設定装置２０に接続している同軸ケーブル８４をアンテナ端子４２に接続し、受信用中継器１２と設定装置２０との間に同軸ケーブル８４を経由した有線回線による通信接続が確立し、設定装置２０は受信用中継器１２に対し情報を読み書きするリーダ／ライタとして機能し、各種の情報の読出しや書込みを可能とする。
【００３８】
［無線式感知器］
（無線式感知器の機能構成）
図２は無線式感知器の機能構成を示したブロック図である。図２に示すように、センサノードとして機能する無線式感知器１４は、感知器制御部２２、アンテナ２６を接続した無線通信部２４、センサ部２８、表示部３０、操作部３２及び電池電源３４を備える。
【００３９】
感知器制御部２２はＣＰＵ、メモリ、各種の入出力ポート等を備えたコンピュータ回路等とする。無線通信部２４は、日本国内の場合には、例えば４００ＭＨｚ帯の特定小電力無線局の標準規格に準拠して電文を間欠的に送信する。
【００４０】
センサ部２８は、例えば散乱光式の煙検出機構によって煙を検出して煙濃度に応じた煙検出信号を出力する。感知器制御部２２はこれに基づき火災を検出する。なお、センサ部２８にサーミスタ等の温度検出素子を設け、温度検出信号を感知器制御部２２へ出力して、これに基づき火災を検出するようにしても良い。表示部３０は火災を検出した場合に点灯する発報表示灯等を備える。操作部３２は登録スイッチや試験スイッチ等を備える。
【００４１】
感知器制御部２２は、コンピュータ回路によりプログラムの実行により実現される機能であり、次の制御を行う。
【００４２】
感知器制御部２２は、操作部３２に設けた登録スイッチの操作を検出した場合、ＩＤ登録用の起動電文を生成し、無線通信部２４に指示して受信用中継器１２に送信させる制御を行い、この起動電文を受信した受信用中継器１２にアドレスとノードＩＤの対応関係を登録させる。
【００４３】
また、感知器制御部２２は、センサ部２８から出力される例えば煙濃度検出信号が所定の火災閾値を超えた場合に火災を示す電文を生成し、無線通信部２４に指示して受信用中継器１２に送信させる制御を行う。この場合の電文送信は、所定の電文送信時間に亘り同一の電文信号を連続送信する電文送信と、所定時間に亘り電文送信を休止する電文休止とを複数回繰り返す。
【００４４】  また、感知器制御部２２は、火災復旧、障害、試験といったイベントを検出した場合にも、検出したイベント内容を示す電文を生成し、無線通信部２４に指示して受信用中継器１２に送信させる制御を行う。 
【００４５】  ［受信用中継器］（受信用中継器の機能構成）  図３は受信用中継器の機能構成を示したブロック図である。図３に示すように、中継器ノードとして機能する受信用中継器１２は、中継制御部３６、アンテナ端子４２に同軸ケーブル４５を介してプラグ４４により着脱自在に接続した受信アンテナ４０を使用する無線受信部３８、外部の設定装置との間で電文を送受信する有線通信部４６、操作部４８、表示部５０、回線通信部５２、接続種別検出部５４及び電源部５６を備える。 
【００４６】
中継制御部３６はＣＰＵ、メモリ、各種の入出力ポート等を備えたコンピュータ回路等とする。無線受信部３８は、日本国内の場合には、例えば４００ＭＨｚ帯の特定小電力無線局の標準規格に準拠して無線式感知器１４からの電文を受信する。また、無線受信部３８はアンテナ端子４２を持ち、設置場所に応じて受信アンテナ４０を交換可能としている。
【００４７】  有線通信部４６は、受信アンテナ４０を接続している同軸ケーブル４５のプラグ４４をコネクタとなるアンテナ端子４２から外し、アンテナ端子４２に設定装置からの同軸ケーブルを接続した場合に、設定装置に設けた有線通信部との間で通信接続を確立し、所定の有線通信プロトコルに従って所定の要求や情報を含む例えばパケット形式の電文を送受信する。 
【００４８】  有線通信部４６のプロトコルインタフェースとしては、同軸ケーブルによる２線式の伝送回線を使用することから、例えば、平衡型伝送路の規格として知られたＲＳ−４８５（ＥＩＡ−４８５）のインタフェース回路が使用可能である。ＲＳ−４８５（ＥＩＡ−４８５）は、通信速度が最大５０Ｍビット／秒で、伝送路長は最大１２００メートルとなることから、受信用中継器１２と設定装置との間の情報通信を高速且つ短時間で行うことを可能とする。 
【００４９】  また、有線通信部４６としては、中継制御部３６側がＵＳＢインタフェースを備えている場合、ＵＳＢインタフェースをＲＳ−４８５インタフェースに変換するＵＳＢコンバータとしても良い。 
【００５０】
勿論、ＲＳ−４８５（ＥＩＡ−４８５）以外に、適宜の２線式のシリアル伝送方式を使用しても良い。
【００５１】  接続種別検出部５４は、アンテナ端子４２に対する受信アンテナ４０又は同軸ケーブルを使用した設定装置２０の接続を検出して検出結果を中継制御部３６に出力する。例えば、接続種別検出部５４はアンテナ端子４２に直流電圧を印加して監視電流を流しており、受信アンテナ４０を接続した場合と設定装置２０を接続した場合のアンテナ端子４０とグランド間のインピーダンスが異なることから、このインピーダンスの相違に応じた監視電流の大きさから、受信アンテナ４０又は設定装置２０の接続を検出して中継制御部３６に出力する。 
【００５２】
操作部４８は、登録スイッチやアドレス設定用のディップスイッチ等を備え、中継制御を必要な各種の設定を行う。表示部５０には、設定したチャンネル周波数を示す表示器、電源灯、発報表示灯、障害灯等の各種の表示灯を設けている。
【００５３】
回線通信部５２は、中継制御部３６の指示に基づき、火災発報を示す電文を受信した場合は、Ｐ型受信機１０からの感知回線１６に発報電流を流して火災発報信号を送信して火災警報を出力させ、また、障害を検出した場合は、感知回線１６を切離して疑似的な断線状態を作り出すことで、Ｐ型受信機１０側で障害警報を出力させる。
【００５４】
中継制御部３６は、コンピュータ回路によりプログラムの実行により実現される機能であり、次の制御を行う。
【００５５】
中継制御部３６は、操作部４８のディップスイッチの操作によりノードＩＤ未登録の登録アドレスを表示部５０に表示した状態で、登録スイッチによる登録操作の受付けを検出すると登録待ち状態を設定し、この状態で無線受信部３８を介して無線式感知器１４から送信されたＩＤ登録用の起動電文を受信すると、起動電文に含まれている送信元ＩＤを取出し、未登録アドレスに対応した無線式感知器１４のノードＩＤとして登録したテーブル情報を生成する制御を行う。
【００５６】
また、中継制御部３６は、無線受信部３８を介して割当先の無線式感知器１４から火災電文を受信した場合、回線通信部５２に指示して感知器回線１６に発報電流を流して火災発報信号をＰ型受信機１０に送信して火災警報を出力させる制御を行う。
【００５７】
また、中継制御部３６は、火災電文を受信した後に火災復旧電文を受信した場合、回線通信部５２に指示して感知器回線１６に流している発報電流を止めて火災発報信号の送信を停止する制御を行う。
【００５８】
また、中継制御部３６は、無線受信部３８を介して割当先の無線式感知器１４から障害電文を受信した場合、回線通信部５２に指示して感知器回線１６を切離して疑似的な断線状態を作り出すことで、Ｐ型受信機１０側で障害警報を出力させる制御を行う。
【００５９】
また、中継制御部３６は、接続種別検出部５４からアンテナ端子４２に対する受信アンテナ４０の接続を示す検出信号を読み込んだ場合、無線受信部３８に動作電源を供給して動作して有効化すると共に、有線通信部４６に対する動作電源の供給を停止して無効化する制御を行い、これによりアンテナ端子４２に受信アンテナ４０を接続している場合は、無線受信部３８のみが動作することになる。
【００６０】  また、中継制御部３６は、接続種別検出部５４からアンテナ端子４２に対する設定装置２０の接続を示す検出信号を読み込んだ場合、有線通信部４６に動作電源を供給して動作して有効化すると共に、無線受信部３８に対する動作電源の供給を停止して無効化する制御を行い、これによりアンテナ端子４２に設定装置２０を接続している場合は、有線通信部４６のみが動作することになる。 
【００６１】
なお、中継制御部３６による無線受信部３８と有線通信部４６の何れか一方を有効化するための切替え制御は、接続種別検出部５４を設けず、操作部４８に設けた所定のスイッチによる無線受信部３８又は有線通信部４６の選択操作で行うようにしても良い。
【００６２】  また、中継制御部３６は、有線通信部４６を介して設定装置２０から設定情報の読出し要求を含む電文を受信した場合、例えば割当先となる無線式感知器１４のアドレスとノードＩＤの対応関係を示すテーブル情報を読出して電文を生成し、有線通信部４６に指示して電文を設定装置２０に送信させる制御を行い、この電文を受信した設定装置２０に割当先となる無線式感知器１４のアドレスとノードＩＤの対応関係を示すテーブル情報を表示し、確認や変更、追加、削除といった編集作業を行わせる。また、受信用中継器１２の設定情報には、無線式感知器１４のアドレスとノードＩＤの対応関係を示すテーブル情報以外に、チャンネル周波数や無線式感知器１４の感度等の設定情報が含まれる。 
【００６３】  また、中継制御部３６は、有線通信部４６を介して設定情報の書込み要求を含む電文を受信した場合、この電文に含まれている編集済みの例えばアドレスとノードＩＤの対応関係を示すテーブル情報を取出して登録する制御を行う。 
【００６４】
また、中継制御部３６は、所定のイベントを検出した場合、検出したイベントを履歴情報として登録する制御を行う。中継制御部３６で登録する履歴情報は、割当先の無線式感知器１４からの電文受信、電文受信時の電波強度、電文の処理結果のＰ型受信機１０への送信等が含まれる。
【００６５】  また、中継制御部３６は、有線通信部４６を介して履歴情報の読出要求を含む電文を受信した場合、履歴情報を読み出してこれを含む電文を生成し、有線通信部４６に指示して設定装置２０に送信させる制御を行い、この電文を受信した設定装置２０に履歴情報を保存して利用可能とする。 
【００６６】
［設定装置］
（設定装置の機能構成）
図４は設定装置の機能構成を、受信用中継器のアンテナ端子に接続した状態で示したブロック図である。図４に示すように、受信用中継器のリーダ／ライタとして機能する設定装置２０は、設定制御部６０、有線通信部６２、液晶ディスプレイ６６、タッチパネル６８、表示部７０、操作部７２、サーバ等の外部装置と通信接続するＬＡＮ通信部７４、電源部７６、ＬＡＮコネクタ部７８及び電源コネクタ部８０を備える。
【００６７】
設定制御部６０はＣＰＵ、メモリ、各種の入出力ポート等を備えたコンピュータ回路等とする。
【００６８】  有線通信部６２は、同軸コネクタ６４に対しプラグ８２により接続した同軸ケーブル８４の他端を、同じくプラグ８２により、受信アンテナ４０を接続している同軸ケーブル４５のプラグ４４を外したアンテナ端子４２に接続可能であり、同軸ケーブル８４を介して受信用中継器１２の有線通信部４６との間に通信接続を確立して所定の情報を含む電文を送受信する。 
【００６９】
また、有線通信部６２のプロトコルインタフェースとしては、受信用中継器１２の有線通信部４６と同じＲＳ−４８５（ＥＩＡ−４８５）のインタフェース回路が使用可能であり、設定制御部６０側がＵＳＢインタフェースを備えている場合、ＵＳＢインタフェースをＲＳ−４８５インタフェースに変換するＵＳＢコンバータとしても良い。
【００７０】
液晶ディスプレイ６６は、受信用中継器１２の設定情報の確認、設定情報の編集と書換え、履歴ログの読出し等に十分な文字や画像を含む表示を可能とする。また、タッチパネル６８付きの液晶ディスプレイ６６を使用することで、表示画面を利用した操作を可能とする。表示部７０には電源灯を含む各種の表示灯を設けている。
【００７１】
操作部７２は、操作キーを配置しており、受信用中継器１２と通信するためのチャンネル周波数の選択、受信用中継器１２の設定情報の確認、設定情報の編集による再登録、履歴ログの読出し等に必要な操作を可能とする。
【００７２】
ＬＡＮ通信部７４は、ＬＡＮコネクタ部７８を介して製造元の管理サーバ等に接続し、設定装置２０で読み出した受信用中継器１２の設定情報を管理サーバに保存してバックアップしたり、履歴ログを保存したりするためのデータ伝送を例えばイーサネット（登録商標）に従って行う。
【００７３】
電源部７６は電池電源を備えており、携帯して使用する場合は電池電源により動作し、管理サーバ等に通信接続してデータ伝送する場合は、電源コネクタ部８０にＡＣアダプタを接続して使用する。
【００７４】
設定制御部６０は、コンピュータ回路によりプログラムの実行により実現される機能であり、例えば次の制御を行う。
【００７５】  設定制御部６０は、タッチパネル６８又は操作部７２による設定情報の読出し操作の受付けを検出した場合、設定情報の読出要求を含む電文を生成し、有線通信部６２に指示して受信用中継器１２に送信させ、受信用中継器１２から有線通信部６２を介して設定情報を含む電文を受信した場合、受信電文から設定情報を取り出して液晶ディスプレイ６６に表示させる制御を行う。 
【００７６】
また、設定制御部６０は、受信用中継器１２から読出して液晶ディスプレイ６６に表示した設定情報の変更、追加、削除を含む編集を行った後の登録要求操作の受付けを検出した場合、登録要求と編集済みの設定情報を含む電文を生成し、有線通信部６２に指示して受信用中継器１２に送信させる制御を行い、これを受信した受信用中継器１２に設定情報を登録させる。
【００７７】
また、設定制御部６０は、無線式感知器１４の登録スイッチの操作に伴う登録モードの設定により送信された起動電文を受信した場合、起動電文から送信元ＩＤを取り出してノードＩＤとして液晶ディスプレイ６６に表示する制御を行う。これにより設定装置２０は無線式感知器１４のノードＩＤを自動的に取得可能とする。
【００７８】
また、設定制御部６０は、タッチパネル６８又は操作部７２による履歴情報の読出し操作の受付けを検出した場合、履歴情報の読出要求を含む電文を生成し、有線通信部６２に指示して受信用中継器１２に送信させ、受信用中継器１２から有線通信部６２を介して履歴情報を含む電文を受信した場合、受信電文から履歴情報を取り出して液晶ディスプレイ６６に表示させると共に保存する制御を行う。
【００７９】
また、設定制御部６０は、受信用中継器１２から履歴情報を読み出して保存した状態で、ＬＡＮコネクタ部７８を介してサーバに接続可能とした状態で、タッチパネル６８又は操作部７２による履歴情報の転送操作の受付けを検出した場合、現在、保存している履歴情報を読出し、履歴情報を含む電文を生成し、ＬＡＮ通信部７４に指示してサーバに送信させる制御を行い、履歴情報の転送を受けたサーバに保存して管理し、また、サーバで非火災報の原因解析等に利用可能とする。
【００８０】
［受信用中継器と設定装置による動作］
図１の１Ｆに示すように、例えば無線防災システムを立ち上げる場合、無線式中継器１２−１及び無線式感知器１４−１１，１４−１２の登録スイッチの操作により、無線式感知器１４−１１，１４−１２からＩＤ登録用の起動電文を順次送信し、受信用中継器１２−１で起動電文の送信元ＩＤをノードＩＤとして例えば図５（Ａ）に示すテーブル情報Ｔ１を生成してメモリに登録する。
【００８１】  （設定情報の確認）  このようなテーブル情報Ｔ１の登録が終了した場合、係員は受信用中継器１２−１の受信アンテナ４０の同軸ケーブル４５をアンテナ端子４２から外し、設定装置２０に接続している同軸ケーブル８４をアンテナ端子４２に接続すると、図４に示したように、受信用中継器１２の有線通信部４６と設定装置２０の有線通信部６２との間に同軸ケーブル８４による有線回線を経由した通信接続が確立される。 
【００８２】
この状態で係員が設定装置２０で設定情報の読出操作を行うと、設定装置２０から設定情報の読出要求を含む電文が送信され、これを受信した受信用中継器１２−１は図５（Ａ）のテーブル情報Ｔ１を読出して設定装置２０に送信し、設定装置２０の液晶ディスプレイ６６にアドレスとノードＩＤの対応関係を示すテーブル情報が表示され、係員はアドレスとノードＩＤの対応関係が正しく登録されているかどうかを確認できる。
【００８３】  このようにして受信用中継器１２から設定装置２０に読出し表示される設定情報には、割当先の無線式感知器１４のアドレスとノードＩＤの対応関係を示すテーブル情報以外に、チャンネル周波数や感度等が含まれる。 
【００８４】
この場合、アドレスとノードＩＤの未登録があった場合には、ノードＩＤの登録が正常に行われていないことから、再度、受信用中継器１２と無線式感知器１４に登録モードを設定して登録動作を行わせる。
【００８５】
また、このとき設定装置２０で読出して確認した受信用中継器１２の設定情報は、設定装置２０から管理用のサーバに送ってバックアップデータとして保存しておく。
【００８６】
（受信用中継器の交換）
また、システムの運用中に、受信用中継器１２−１１に障害が発生して交換した場合には、係員は設定装置２０をＬＡＮ回線に接続し、管理用のサーバにアクセスして交換前の受信用中継器１２−１１に登録していた設定情報を読出して保存し、続いて、設定装置２０を交換した受信用中継器１２−１のアンテナ端子４２に同軸ケーブル８４を介して接続して設定情報の書込操作を行うと、設定装置２０から設定情報とその書込要求を含む電文が送信され、これを受信した受信用中継器１２−１は、受信した電文から取り出した設定情報として、アドレスとノードＩＤの対応関係を示すテーブル情報、チャンネル周波数、感度等を登録する。
【００８７】
このため共同住宅のように占有部に無線式感知器１４が設置されており、占有部に入って無線式感知器１４を登録モードする操作を必要とすることなく、交換した受信用中継器１２に、交換前の受信用中継器１２に登録していた設定情報を簡単に登録することができる。
【００８８】
（無線式感知器の増設）
また、システムの運用中に、受信用中継器１２に割り当てていた無線式感知器１４を２台増設した場合には、係員は管理用のサーバにアクセスして増設前の受信用中継器１２−１１に登録していた設定情報として、例えば図５（Ａ）に示すテーブル情報Ｔ１を読出して表示し、続いて、増設した無線式感知器１４のノードＩＤとしてＩＤ３，ＩＤ４を取得して空きアドレスＡ３，Ａ４に追加登録し、図５（Ｂ）に示す管理テーブルＴ１を生成する編集作業を行う。
【００８９】
この場合の増設する無線式感知器１４のノードＩＤの取得は、設置前に設定装置２０の近くに置いた無線式感知器１４の登録スイッチを操作して登録モードを設定し、登録モードの設定によりＩＤ登録用の起動電文を送信し、設定装置２０は受信した起動電文の送信元ＩＤを例えばノードＩＤ３として取り出して表示し、これをテーブル情報２の空きアドレスＡ３に書込む編集作業を行えば良い。
【００９０】
この編集作業が終了したら、係員は携帯している設定装置２０を受信用中継器１２−１のアンテナ端子４２に同軸ケーブル８４を介して接続して設定情報の書込操作を行うと、設定装置２０から図５（Ｂ）に示すテーブル情報Ｔ１とその書込要求を含む電文が送信され、これを受信した受信用中継器１２−１は、受信した電文から取り出したテーブル情報Ｔ１をメモリに登録する。
【００９１】
このため受信用中継器１２の割当先となる無線式感知器１４を増設した場合にも、設定装置２０を用いた設定情報の追加編集を伴う登録操作により、簡単に対応することができる。
【００９２】
（無線式感知器の割当変更）
無線防災システムに設けた２台の受信用中継器１２に、例えば図６（Ａ）に示すテーブル情報Ｔ１、Ｔ２に示すアドレスとノードＩＤの対応関係を登録してシステムを運用していたとする。しかし、システム運用中に間仕切り変更等により図６（Ｂ）のテーブル情報Ｔ１，Ｔ２に示すように、２台の受信用中継器１２に対する無線式受信機１４の割当てを変更する必要が生じたとする。
【００９３】
この場合にも、設定装置２０を同軸ケーブル８４により一方の受信用中継器１２のアンテナ端子４２に接続した状態で、一方の受信用中継器１２から図６（Ａ）に示すテーブル情報Ｔ１を読出して表示し、アドレスＡ３，Ａ４のノードＩＤ３，ＩＤ４を、図６（Ｂ）のテーブル情報Ｔ１に示すようにノードＩＤ５，ＩＤ６に変更する編集作業を行って書込む。
【００９４】
また、設定装置２０を同軸ケーブル８４により他方の受信用中継器１２のアンテナ端子４２に接続した状態で、他方の受信用中継器１２から図６（Ａ）に示すテーブル情報Ｔ２を読出して表示し、アドレスＡ１，Ａ２のノードＩＤ５，ＩＤ６を、図６（Ｂ）のテーブル情報Ｔ２に示すようにノードＩＤ３，ＩＤ４に変更する編集作業を行って書込む。
【００９５】
このような設定装置２０による受信用中継器１２に登録しているテーブル情報を読出してノードＩＤを書換える編集を行って書込むことで、簡単且つ容易に受信用中継器１２に対する無線式感知器１４の割当て変更に対処できる。
【００９６】
（履歴情報の利用）
無線防災システムの定期点検を行う場合等において、設定装置２０を同軸ケーブル８４により受信用中継器１２のアンテナ端子４２に接続した状態で、受信用中継器１２から履歴情報を読出し、これをＬＡＮ回線で接続したサーバに送って保存する。サーバに保存した履歴情報は、例えば非火災報の解析等に利用可能となる。
【００９７】
［本発明の変形例］
（Ｒ型受信機）
上記の実施形態は、火災受信機としてＰ型受信機からの感知器回線に受信用中継器を接続しているが、データ伝送機能を持つＲ型受信機に受信用中継器を接続するようにしてもよい。
【００９８】
（その他）
また本発明はその目的と利点を損なうことのない適宜の変形を含み、更に上記の実施形態に示した数値による限定は受けない。
【符号の説明】
【００９９】１０：Ｐ型受信機１２−１〜１２−３：受信用中継器１４−１〜１４−３：無線式感知器１６：感知器回線２０：設定装置２２：感知器制御部２４：無線通信部２６：アンテナ２８：センサ部３０，５０，７０：表示部３２，４８，７２：操作部３６：中継制御部３８：無線受信部４０：受信アンテナ４２：アンテナ端子４５，８４：同軸ケーブル４６，６２：有線通信部５４：接続種別検出部６０：設定制御部６６：液晶ディスプレイ６８：タッチパネル 
【図１】
0006470056.tif 000002
【図２】
0006470056.tif 000003
【図３】
0006470056.tif 000004
【図４】
0006470056.tif 000005
【図５】
0006470056.tif 000006
【図６】
0006470056.tif 000007